(57)【要約】      （修正有）【課題】符号化されたアプリンク制御情報（UCI）bitsの冗長度をサブフレーム単位で調整できるようにする無線端末及び基地局を提供する。【解決手段】無線端末１は、RI(rank indicator)を送信するための符号化されたシンボル数を決定するのに用いられる第１のオフセット及び第２のオフセットの値にそれぞれ対応する第１及び第２のインデックスを一の基地局２から受信する。無線端末１は、無線フレーム内の第１のサブフレームグループに属する第１のサブフレームには第１のインデックスを適用して符号化されたシンボル数を決定し、当該無線フレーム内の第２のサブフレームグループに属する第２のサブフレームには第２のインデックスを適用して符号化されたシンボル数を決定する。無線端末１は、これら第１及び第２のサブフレームにおいてアップリンク信号を当該一の基地局２に送信する。【選択図】図１０
2018164258.tif 000002
【特許請求の範囲】
【請求項１】
RI (rank indicator) を送信するための符号化されたシンボル数を決定するのに用いられる第１のオフセットの値に対応する第１のインデックスと、RIを送信するための符号化されたシンボル数を決定するために用いられる第２のオフセットの値に対応する第２のインデックスとを一の基地局から受信し、
無線フレーム内の第１のサブフレームグループに属する第１のサブフレームと前記無線フレーム内の第２のサブフレームグループに属する第２のサブフレームにおいてアップリンク信号を前記一の基地局に送信する通信手段と、
前記第１のサブフレームには前記第１のインデックスを適用して前記符号化されたシンボル数を決定し、前記第２のサブフレームには前記第２のインデックスを適用して前記符号化されたシンボル数を決定する制御手段と、
を備える無線端末。
【請求項２】
前記第１のサブフレームグループ及び前記第２のサブフレームグループを包含するサブフレームパターンは、前記無線フレームと同一の周期で繰り返される、
請求項１に記載の無線端末。
【請求項３】
前記第１のサブフレームグループは、適用されるUL-DL configurationが変化する場合に通信方向がアップリンク方向とダウンリンク方向との間で切り替わるサブフレームを含み、
前記第２のサブフレームグループは、適用されるUL-DL configurationが変化する場合に通信方向がアップリンク方向とダウンリンク方向との間で切り替わらないサブフレームを含む、
請求項１または２に記載の無線端末。
【請求項４】
前記第１のインデックスと前記第２のインデックスとは、pusch-configDedicatedに含まれる情報である、
請求項１から３の何れか１つに記載の無線端末。
【請求項５】
前記第１のインデックスと前記第２のインデックスとは、Radio Resource Config Dedicatedに含まれる情報である、
請求項１から４の何れか１つに記載の無線端末。
【請求項６】
前記第１のインデックスと前記第２のインデックスとは、RRC Connection Setupメッセージに含まれる情報である、
請求項１から５の何れか１つに記載の無線端末。
【請求項７】
RI (rank indicator) を送信するための符号化されたシンボル数を決定するのに用いられる第１のオフセットの値に対応する第１のインデックスと、RIを送信するための符号化されたシンボル数を決定するために用いられる第２のオフセットの値に対応する第２のインデックスとを無線端末に送信し、
無線フレーム内の第１のサブフレームグループに属する第１のサブフレームと前記無線フレーム内の第２のサブフレームグループに属する第２のサブフレームにおいてアップリンク信号を前記無線端末から受信する通信手段を有し、
前記第１のサブフレームには前記第１のインデックスを適用して前記符号化されたシンボル数が前記無線端末により決定され、前記第２のサブフレームには前記第２のインデックスを適用して前記符号化されたシンボル数が前記無線端末により決定される、
基地局。
【請求項８】
前記第１のサブフレームグループ及び前記第２のサブフレームグループを包含するサブフレームパターンは、前記無線フレームと同一の周期で繰り返される、
請求項７に記載の基地局。
【請求項９】
前記第１のサブフレームグループは、適用されるUL-DL configurationが変化する場合に通信方向がアップリンク方向とダウンリンク方向との間で切り替わるサブフレーム
を含み、
前記第２のサブフレームグループは、適用されるUL-DL configurationが変化する場合に通信方向がアップリンク方向とダウンリンク方向との間で切り替わらないサブフレームを含む、
請求項７または８に記載の基地局。
【請求項１０】
前記第１のインデックスと前記第２のインデックスとは、pusch-configDedicatedに含まれる情報である、
請求項７から９の何れか１つに記載の基地局。
【請求項１１】
前記第１のインデックスと前記第２のインデックスとは、Radio Resource Config Dedicatedに含まれる情報である、
請求項７から１０の何れか１つに記載の基地局。
【請求項１２】
前記第１のインデックスと前記第２のインデックスとは、RRC Connection Setupメッセージに含まれる情報である、
請求項７から１１の何れか１つに記載の基地局。
【発明の詳細な説明】
【技術分野】
【０００１】
本出願は、無線通信システムに関し、特に無線端末から基地局へのアップリンク制御情報の送信に関する。
【背景技術】
【０００２】
以下では、3rd Generation Partnership Project (3GPP) Long Term Evolution (LTE) で用いられる無線フレーム（radio frame）の構造、time division duplex (TDD)、及びアップリンク送信の概要について説明する。さらに、3GPP Release 12で新たに議論されているenhanced interference mitigation and traffic adaptation (eIMTA) を説明する。
【０００３】
始めにLTEの無線フレーム構造を説明する。3GPP Release 8及びそれ以降（つまり、LTE）では、２種類の無線フレーム構造が用意されている。一方は、frame structure type 1と呼ばれ、frequency division duplex (FDD)に適用できる。他方は、frame structure type 2と呼ばれ、TDDに適用できる。図１に示されている通り、type 1及びtype 2のいずれのフレーム構造においても、１つの無線フレームの長さは１０ミリ秒であり、１つの無線フレームは１０個のサブフレーム（subframe）から構成されている。なお、TDDの場合、前半の５つのサブフレーム（＃０〜＃４）と、後半の５つのサブフレーム（＃５〜＃９）をそれぞれハーフ・フレームと呼ぶ。ハーフ・フレームの長さは５ミリ秒である。１つのサブフレームの長さは、１ミリ秒である。さらに１つのサブフレームは、各々が０．５ミリ秒の２つのスロットに分解される。Normal cyclic prefixの場合、１つのスロットは、時間領域で７個のシンボル（アップリンクであればsingle carrier frequency division multiple access (SC-FDMA) シンボル、ダウンリンクであれば orthogonal frequency division multiplexing (OFDM)シンボル）を含む。したがって、１つのサブフレームは、時間領域で１４個のシンボルを含む。
【０００４】
図２は、時間領域だけでなく周波数領域を考慮した無線リソースを示している。最小リソース単位は、リソースエレメントと呼ばれ、時間領域で１シンボル時間を有し、周波数領域で１サブキャリアを有する。サブキャリア間隔は、15 kHzである。アップリンク及びダウンリンクの無線リソース割り当ては、連続する２つのリソースブロック単位（サブフレーム時間長）で行われる。１つのリソースブロックは、時間領域で１サブフレームの半分に相当する７シンボル（0.5ミリ秒）を有し、周波数領域で１２サブキャリアを有する。
【０００５】
次に、TDD LTEがサポートしているアップリンク・ダウンリンク コンフィグレーション（UL-DLコンフィグレーション）について説明する。TDD LTEの場合、アップリンク・サブフレーム（ULサブフレーム）とダウンリンク・サブフレーム（DLサブフレーム）が１つの無線フレーム内に共存する。ULサブフレームは、無線端末から基地局へのアップリンク送信が行われるサブフレームであり、DLサブフレームは、基地局から無線端末へのダウンリンク送信が行われるサブフレームである。UL-DL コンフィグレーションは、１つの無線フレーム内でのアップリンク・サブフレームとダウンリンク・サブフレームの配置を意味する。
【０００６】
図３は、非特許文献１に開示されている７通りのアップリンク・ダウンリンク コンフィグレーション（UL-DLコンフィグレーション）を示している。図３において、“Ｄ”はDLサブフレームを示し、“Ｕ”はULサブフレームを示し、“Ｓ”はスペシャル・サブフレームを示している。ダウンリンク送信（DLサブフレーム）からアップリンク送信（ULサブフレーム）への切り替えは、ハーフ・フレーム内の２番目のサブフレーム（つまり、＃１及び＃６サブフレーム）で行われる。ダウンリンク送信（DLサブフレーム）からアップリンク送信（ULサブフレーム）への切り替えが行われる場合、スペシャル・サブフレームが配置される。スペシャル・サブフレームは、ダウンリンク送信が行われるダウンリンク・パイロット・タイムスロット（DwPTS : downlink pilot time slot）、無送信区間であるガードピリオド（GP : guard period）、及び上り送信が行われるアップリンク・パイロット・タイムスロット（UpPTS : uplink pilot time slot）から構成されている。TDD LTEでは、図３に示されたいずれかのUL-DLコンフィグレーションが無線フレームの周期（１０ミリ秒）で繰り返し用いられる。
【０００７】
続いて、3GPP Release 8及びそれ以降（つまり、LTE）で規定されている無線端末から基地局へのアップリンク制御情報（UCI：uplink control information）の送信について説明する。UCIは、ダウンリンク通信に関する制御情報を含むことができる。ダウンリンク通信に関する制御情報は、hybrid automatic repeat request（HARQ）ACK/NACK、及びchannel state information（CSI）を含む。CSIは、リンクアダプテーションのためのchannel quality Indicator（CQI）を含み、さらにmultiple-input and multiple-output （MIMO）に関するフィードバック（つまり、pre-coding matrix indicator（PMI）及びrank indicator（RI））を含んでもよい。
【０００８】
physical uplink shared channel（PUSCH）のための無線リソースが無線端末に割り当てられていないサブフレームでUCIが送信される場合、UCIは、physical uplink control channel（PUCCH）において送信される。一方、PUSCHのための無線リソースが無線端末に割り当てらてられたサブフレームでUCIが送信される場合、UCIは、PUSCHを用いて送信される。3GPP Releases 8及び9では、PUCCHは、PUSCHと同じサブフレームでは決して送信されない。なぜなら、PUSCH及びPUCCHを同一サブフレームで同時送信してしまうと、アップリンク送信信号のpeak-to-average power ratio（PAPR）が増加するためである。具体的には、UCIは、SC-FDMA信号（discrete Fourier transform spread OFDM (DFTS-OFDM)信号）を生成するためのDFT拡散処理（DFT spreading）の前に、uplink shared channel(UL-SCH)データ（つまり、ユーザデータを包含するトランスポートチャネル）と多重化される。なお、3GPP Release 10及びそれ以降では、PUSCH及びPUCCHを同一サブフレームで同時送信する送信モードが規定されている。しかしながら、この送信モードは、前述したようにPAPRの増加を伴うため、基地局の近くにいる少数の無線端末にしか通常は適用されない。したがって、3GPP Release 10及びそれ以降であっても、基地局からの距離が大きいその他の無線端末は、UCIをUL-SCHデータと多重化した後にPUSCHにおいて送信する送信モード（つまり、PAPRを抑える送信モード）を通常利用する。
【０００９】
図４は、UCI（すなわちCQI/PMI、HARQ ACK/NACK、及びRI）をUL-SCHデータシンボルと共にPUSCHのためにスケジュールされたリソースエレメント（resource elements）上に多重化する処理の一例を示している。なお、図４は、２個のリソースブロックに相当する１４シンボル×１２サブキャリア＝１６８個のリソースエレメントを示している。図４に示されているように、リファレンスシグナル各スロットの４番目のSC-OFDMA（DFTS-OFDM）シンボルにはリファレンス信号（RS）４１（つまり、demodulation reference symbol（DMRS））が配置される。図４に示されるように、符号化されたCQI/PMIシンボル４３は、利用可能な無線リソースの始めの部分に、１つのサブキャリアのSC−FDMAシンボルを連続して占めるように配置される。CQI/PMI送信のためにUL-SCHデータがパンクチャリングされることを回避するため、UL-SCHデータは、残りの無線リソース４２で送信できるようにCQI/PMI bitsのまわりでレートマッチングされる。符号化されたHARQ ACK/NACKシンボル４４は、チャネル・インタリーバにおいてUL-SCHデータをパンクチャリングすることで、リファレンス信号（RS）４１のSC-FDMAシンボルの隣に配置される。符号化されたRIシンボル４５は、現在のサブフレームにおいてHARQ ACK/NACKシンボル４４が実際に存在するか否かに関わらず、図４に示されたHARQ ACK/NACKシンボル４４の位置の隣に配置される。
【００１０】
CQI/PMI、HARQ ACK/NACK、及びRIの各々のために使用されるリソースエレメント数（符号化されたシンボル数）は、PUSCHのmodulation and coding scheme（MCS）（つまり、modulation order (Qm)）とオフセットパラメータβCQI offset、βHARQ-ACK offset、及びβRI offsetに基づいて無線端末において決定される。オフセットパラメータβCQI offset、βHARQ-ACK offset、及びβRI offsetは、基地局と無線端末の間の上位レイヤのシグナリング（具体的には、RRCセットアップ手順）において半静的（semi-static）に設定される。すなわち、非特許文献３のセクション8.6.3に規定されているように、基地局は、オフセットパラメータβCQI offset、βHARQ-ACK offset、βRI offsetをUEに通知するために、オフセットの値に対応付けられたインデックスICQI offset、IHARQ-ACK offset、IRI offsetをUEに送信する。
【００１１】
非特許文献２のセクション5.2.2.6に規定されているように、PUSCH送信が行われる場合にHARQ ACK/NACK及びRIのために使用されるリソースエレメント数（符号化されたシンボル数）は、以下の式（１）を用いて決定される。
【数１】
2018164258.tif 000003
【００１２】
式（１）において、Q’ は、符号化されたシンボル数である。O は、HARQ ACK/NACK bits又はRI bitsの数である。M PUSCH sc は、トランスポートブロックのための現在のサブフレームでのphysical uplink shared channel（PUSCH）送信に対してスケジュールされたサブキャリア数である。N PUSCH-initial symb は、同じトランスポートブロックの初期PUSCH送信のためのサブフレーム当たりのsingle-carrier frequency division multiple access（SC-FDMA）シンボル数である。M PUSCH-initial sc、C、及びKr は、同じトランスポートブロックのための初期physical downlink control channel（PDCCH）送信から得られるパラメータである。具体的には、M PUSCH-initial sc、は、初期PUSCH送信時の割り当てサブキャリア数であり、Cはコードブロック数であり、Kr は、コードブロックインデックス#rのコードブロックサイズである。さらに、β PUSCH offset は、オフセットパラメータであり、HARQ ACK/NACKの場合βHARQ-ACK offsetが使用され、RIの場合βRI offsetが使用される。
【００１３】
また、非特許文献２のセクション5.2.2.6に規定されているように、PUSCH送信が行われる場合にCQI/PMIのために使用されるリソースエレメント数（符号化されたシンボル数）は、以下の式（２）を用いて決定される。
【数２】
2018164258.tif 000004
【００１４】
式（２）において、Q’ は、符号化されたシンボル数である。O は、CQI bitsの数である。L は、CQI/PMIに適用されるcyclic redundancy check（CRC）ビットの数である。M PUSCH sc は、トランスポートブロックのための現在のサブフレームでのphysical uplink shared channel（PUSCH）送信に対してスケジュールされたサブキャリア数である。N PUSCH symb は現在のサブフレームでのPUSCH送信ためのsingle-carrier frequency division multiple access（SC-FDMA）シンボル数である。N PUSCH-initial symb は、同じトランスポートブロックの初期PUSCH送信のためのサブフレーム当たりのSC-FDMAシンボル数である。Q RIは、現在のサブフレームで送信されるrank indicatorのビット数である。Q mは、PUSCHに適用される変調方式における１シンボルあたりの送信ビット数である。M PUSCH-initial sc、C、及びKr は、同じトランスポートブロックのための初期physical downlink control channel（PDCCH）送信から得られるパラメータである。具体的には、M PUSCH-initial sc、は、初期PUSCH送信時の割り当てサブキャリア数であり、Cはコードブロック数であり、Kr は、コードブロックインデックス#rのコードブロックサイズである。さらに、β PUSCH offset は、オフセットパラメータであり、CQI/PMIの場合βCQI offsetが使用される。
【００１５】
無線端末は、アップリンク情報チャネル（UCI）のチャネルコーディングにおいて、HARQ ACK/NACK、RI、CQI/PMIのそれぞれについて符号化されたシンボル数Q’を式（１）又は（２）に基づいて決定する。そして、無線端末は、PUSCHに割り当てられたmodulation order (Qm)と、符号化されたシンボル数Qに基づいて、符号化されたHARQ ACK/NACKビット、符号化されたRIビット、及び符号化されたCQI/PMIビットのそれぞれのビット数を以下の式（３）〜（５）に従って決定する。そして、無線端末は、符号化されたHARQ ACK/NACKビット、符号化されたRIビット、及び符号化されたCQI/PMIビットのそれぞれの決定されたビット数に基づいて、HARQ ACK/NACKビット、RIビット、及びCQI/PMIビットに対するチャネルコーディング、つまりcircular repetition又はrepetition coding、を実施する。
【数３】
2018164258.tif 000005
【数４】
2018164258.tif 000006
【数５】
2018164258.tif 000007
【００１６】
以下では、図５を用いて、非特許文献１及び非特許文献２に示された、物理チャネルPUSCHを生成するためのトランスポートチャネルUL-SCH及びUCIに対する処理について説明する。なお、ここでは、UCIのチャネルコーディングに主に着目しているため、UL-SCH data bits（トランスポートブロック）に対するtransport block CRC attachment、code block segmentation and code block CRC attachment、channel coding of UL-SCH、rate matching、及びcode block concatenationの図示を省略している。
【００１７】
チャネルコーディング・ユニット５０１は、CQI/PMI bitsに対してチャネルコーディングを実施し、符号化されたCQI/PMI bitsを生成する。チャネルコーディング・ユニット５０２は、RI bit(s) に対してチャネルコーディングを実施し、符号化されたRI bitsを生成する。チャネルコーディング・ユニット５０３は、HARQ ACK/NACK bit(s)に対してチャネルコーディングを実施し、符号化されたHARQ ACK/NACK bitsを生成する。チャネルコーディング・ユニット５０１〜５０３は、上述した式（１）又は（２）に従って、UCIのための符号化されたシンボル数Q’を決定し、符号化されたUCI のビット数を決定し、そして符号化されたUCI のビット数に応じたチャネルコーディングを行う。
【００１８】
マルチプレクサ５０４は、図４に示されるように符号化されたCQI/PMIシンボル４３が利用可能な無線リソースの始めの部分にマッピングされるように、符号化されたUL-SCH data bitsと符号化されたCQI/PMI bitsを多重化する。
【００１９】
チャネル・インタリーバ５０５は、図４に示されるようにHARQ ACK/NACKシンボル４４及び符号化されたRIシンボル４５が時間領域においてリファレンス信号（RS）４１の周辺に配置されるように、マルチプレクサ５０４の出力bits、符号化されたHARQ ACK/NACK bits、及び符号化されたRI bitsに対するインタリービングを実施する。
【００２０】
スクランブラ５０６は、チャネル・インタリーバ５０５の出力bitsに対してスクランブリング系列を乗算する。モジュレータ５０７は、スクランブルされたbitsのブロックを変調シンボルにマッピングすることで変調シンボル列を生成する。リソースエレメントマッパ５０８は、PUSCH送信のために割り当てられたリソースブロック内のリソースエレメントに変調シンボル列をマッピングする。
【００２１】
SC−FDMA信号ジェネレータ５０９は、変調シンボル列からSC-FDMA信号を生成する。すなわち、SC-FDMA信号ジェネレータ５０９は、１サブフレームで割り当てられた無線リソースに相当するＭ個の変調シンボルをDFT拡散し、DFT拡散後のＭ個の周波数領域信号をリソースエレメントマッパ５０８によるマッピングに従ってサブキャリアにマッピングし、そしてＮ点inverse fast Fourier transform（IFFT）を行ってSC-FDMA信号（DFTS-OFDM信号）を生成する。なお、通常はＭ＜Ｎであるため、DFTの出力信号にはIFFT（つまり、ODFM変調）のＮサブキャリアのサイズまでゼロが挿入される。
【００２２】
さらに以下では、3GPP Release 12において議論されているeIMTAの概念及びその運用形態の例について説明する。3GPP Releases 8-11の規定では、UL-DLコンフィグレーションは半静的（semi-static）に運用される。すなわち、3GPP Releases 8-10の規定では、基地局毎に予め１つのUL-DLコンフィグレーションが定められており、基地局は予め定められたUL-DLコンフィグレーションを下り報知情報に含めて送信する。無線端末は、基地局からUL-DLコンフィグレーションを受信することで、特定のサブフレームがULサブフレーム及びDLサブフレームのいずれであるかを知ることができる。しかしながら、半静的なUL-DLコンフィグレーションは、通信トラフィックの急増、又はダウンリンク若しくはアップリンクのトラフィック量の変化に追従できないため、無線リソースを有効に利用できないとの問題点を指摘されている。そこで、3GPP Release 12及びそれ以降では、UL-DLコンフィグレーションを短い周期（例えば、１０〜８０ミリ秒周期）で動的に切り替えることを可能とする運用形態が議論されている。この運用形態は、eIMTAというワークアイテム名が付与され、2013年12月現在も議論が行われている。
【００２３】
図６Ａは、2013年12月現在、3GPPにおいて検討されているeIMTAが適用される無線通信システムの一例を示している。図６Ａの例では、無線通信システムは、マクロセル基地局６０１及びスモールセル基地局６０２を含む。マクロセル基地局６０１は、カバレッジエリア（マクロセル）６１１を有する。スモールセル基地局６０２のカバレッジエリア（スモールセル）６１２は、カバレッジエリア（マクロセル）６１１よりも狭く、カバレッジエリア（マクロセル）６１１に完全に覆われるか、又は少なくとも一部がカバレッジエリア（マクロセル）６１１と重複している。スモールセル基地局６０２は、例えば、マクロセル基地局６０１のトラフィックをオフロードするために使用される。
【００２４】
図６Ｂは、図６Ａに示されたスモールセル基地局６０２にeIMTAが適用されたときのUL-DLコンフィグレーションの変化の一例を示している。時点＃１では、スモールセル基地局６０２は、マクロセル基地局６０１と同じUL-DLコンフィグレーション＃０を使用する。なお、マクロセル基地局６０１は、UL-DLコンフィグレーション＃０を半静的に使用すると仮定する。次に、例えばカバレッジエリア６１２内においてダウンリンクトラフィックが一時的に増大した場合、スモールセル基地局６０２は、時点＃２において、UL-DLコンフィグレーションをコンフィグレーション＃０からコンフィグレーション＃１に変更する。これに伴い、サブフレーム＃４及び＃９がULサブフレームからDLサブフレームに切り替わる。したがって、スモールセル基地局６０２は増大したダウンリンクトラフィックを処理することができる。カバレッジエリア６１２内のダウンリンクトラフィックがさらに増大した場合、スモールセル基地局６０２は、時点＃３において、UL-DLコンフィグレーションをコンフィグレーション＃１からコンフィグレーション＃２に変更する。これに伴い、サブフレーム＃４及び＃９に加えてサブフレーム＃３及び＃８もULサブフレームからDLサブフレームに切り替わる。このように、eIMTA技術を用いると、例えばトラフィック量の変動に応じて、UL-DLコンフィグレーションの動的な切り替えが可能となる。
【００２５】
ここで、以下の議論の為に、3GPPでのeIMTAに関する議論において定義されている２つのサブフレームの概念を説明する。一方は、固定サブフレーム (fixed subframe)と呼ばれ、送信方向(アップリンク／ダウンリンク)が半静的であり変化しないサブフレームである。他方は、可変サブフレーム （flexible subframe又はvaluable subframe）と呼ばれ、図６Ｂに示された例のように送信方向を変更可能なサブフレームである。図６Ｂの例で説明すると、サブフレーム#0、#1、#2、#5、#6、及び#7が固定サブフレームに相当し、サブフレーム#3、#4、#8、及び#9が可変サブフレームに相当する。
【先行技術文献】
【非特許文献】
【００２６】
【非特許文献１】3GPP TS 36.211 V8.9.0 (2009-12), “3rd Generation Partnership Project; Technical Specification Group Radio Access Network; Evolved Universal Terrestrial Radio Access (E-UTRA); Physical Channels and Modulation (Release 8)” , 2009年12月
【非特許文献２】3GPP TS 36.212 V8.8.0 (2009-12), “3rd Generation Partnership Project; Technical Specification Group Radio Access Network; Evolved Universal Terrestrial Radio Access (E-UTRA); Multiplexing and channel coding (Release 8)”, 2009年12月
【非特許文献３】3GPP TS 36.213 V8.8.0 (2009-09), “3rd Generation Partnership Project; Technical Specification Group Radio Access Network; Evolved Universal Terrestrial Radio Access (E-UTRA); Physical layer procedures (Release 8)”, 2009年9月
【発明の概要】
【発明が解決しようとする課題】
【００２７】
本件発明者は、eIMTAが適用される場合の干渉の問題について検討した。すなわち、上述したようにUL-DLコンフィグレーションの動的な変更が行われる場合、可変サブフレームにおいてセル間干渉が特に顕著となるおそれがある。なぜなら、可変サブフレームにおいては、図６Ｂに示されているように、隣接する基地局間で送信方向（アップリンク／ダウンリンク）が異なる可能性があるためである。例えば、図６Ｂの可変サブフレーム（つまり、サブフレーム#3、#4、#8、及び#9）では、スモールセル基地局６０２から送信されるダウンリンク信号がマクロセル基地局６０１によって受信されるアップリンク信号に干渉を与える可能性がある。つまり、基地局において受信されるアップリンク信号に含まれる干渉レベルは固定サブフレームと可変サブフレームとで異なり、可変サブフレームにて受信される上り受信信号の干渉レベルが固定サブフレームのそれに比べて大きい可能性がある。
【００２８】
セル間干渉により発生する問題の一例として、以下のようなことが考えられる。例えば、UCI（CQI/PMI、HARQ ACK/NACK、及びRI）送信は、HARQによる再送メカニズムが用いられない。したがって、隣接基地局（例えば、スモールセル基地局６０２）において可変サブフレームが使用されるサブフレームにおいて、基地局（例えば、マクロセル基地局６０１）がPUSCH上でUCIシンボルを受信する場合に、上述のセル間干渉によってUCIの受信特性が劣化するおそれがある。UCIの受信特性の劣化は、システムの最適化に影響を及ぼし、システムスループットの低下を招くかもしれない。
【００２９】
なお、UCIの受信特性の劣化は、LTE TDDにおいてeIMTAが適用される場合、つまり可変サブフレームが利用される場合に限られず発生し得る。例えば、第１に、隣接する２つの基地局に対して異なるUL-DLコンフィグレーションが設定されているケースが考えられる。この場合、一方の基地局のアップリンク送信と他方の基地局のダウンリンク送信が同時に発生し得る。第２に、隣接する２つの基地局の無線フレームの同期が十分でないケースが考えられる。隣接する２つの基地局が同じUL-DLコンフィグレーションを使用していても、無線フレームの同期が不十分であると一方の基地局のアップリンク送信と他方の基地局のダウンリンク送信が同時に発生し得る。第３に、周期的な無線フレーム内の特定のサブフレームにおいて他のシステムからの周期的な干渉を受けるケースが考えられる。第３のケースの場合、TDD LTEだけでなくFDD LTEであっても、アップリンク信号が被る干渉レベルがサブフレーム毎に異なる。
【００３０】
すなわち、固定サブフレームと可変サブフレームのいずれであるか、あるいはその他の要因（例えば、UL-DLコンフィグレーションの不整合、無線フレームの不十分な同期、又は他システムからの干渉）によって、PUSCH上で送信されるUCIシンボルが被る干渉レベルはサブフレーム毎に大きく異なる可能性がある。しかしながら、UCI（CQI/PMI、HARQ ACK/NACK、又はRI）のために使用されるリソースエレメント数（符号化されたシンボル数）の計算方法は、サブフレームによらず共通であることに留意すべきである。すなわち、上述した式（１）及び式（２）内のオフセットパラメータβPUSCH offset（βCQI offset、βHARQ-ACK offset、及びβRI offset）に代入される値は、全てのサブフレームに対して半静的に共通である。したがって、特定のサブフレームにおいてのみUCIのためのリソースエレメント数（符号化されたシンボル数）を増やすことは難しく、したがって符号化されたUCI bitsの冗長性を特定のサブフレームにおいてのみ高めることは難しい。
【００３１】
本明細書に開示される実施形態が達成しようとする目的の１つは、符号化されたUCI bitsの冗長度をサブフレーム単位で調整することに寄与する方法、無線端末、基地局、及びプログラムを提供することである。その他の目的又は課題と新規な特徴は、本明細書の記述又は添付図面から明らかにされる。
【課題を解決するための手段】
【００３２】
一実施形態では、方法は、（ａ）無線フレーム内の第１のサブフレームにおいてアップリンク制御情報を送信する場合に、前記アップリンク制御情報のための符号化されたシンボル数を第１の計算方法に従って決定すること、及び（ｂ）前記無線フレーム内の第２のサブフレームにおいて前記アップリンク制御情報を送信する場合に、前記アップリンク制御情報のための符号化されたシンボル数を前記第１の計算方法とは異なる第２の計算方法に従って決定することを含む。
【００３３】
一実施形態では、無線端末は、アップリンク信号を生成するプロセッサと、前記アップリンク信号を基地局に送信するトランシーバを含む。前記プロセッサは、無線フレーム内の第１のサブフレームにおいてアップリンク制御情報を送信する場合に、前記アップリンク制御情報のための符号化されたシンボル数を第１の計算方法に従って決定するよう構成されている。さらに、前記プロセッサは、前記無線フレーム内の第２のサブフレームにおいて前記アップリンク制御情報を送信する場合に、前記アップリンク制御情報のための符号化されたシンボル数を前記第１の計算方法とは異なる第２の計算方法に従って決定するよう構成されている。
【００３４】
一実施形態では、方法は、（ａ）アップリンク制御情報のための符号化されたシンボル数を決定するための計算式に含まれる第１のパラメータに代入される第１の値及び第２の値、又は前記第１及び第２の値を示す第１及び第２のインデックスを無線端末に送信することを含む。ここで、前記第１の値は、無線フレーム内の第１のサブフレームにおいて前記アップリンク制御情報を前記無線端末から送信する場合に、前記符号化されたシンボル数を決定するために前記無線端末において前記第１のパラメータに代入される。前記第２の値は、前記無線フレーム内の第２のサブフレームにおいて前記アップリンク制御情報を前記無線端末から送信する場合に、前記符号化されたシンボル数を決定するために前記無線端末において前記第１のパラメータに代入される。
【００３５】
一実施形態では、基地局は、ダウンリンク信号を生成するプロセッサと、前記ダウンリンク信号を無線端末に送信するトランシーバを含む。ここで、前記ダウンリンク信号は、アップリンク制御情報のための符号化されたシンボル数を決定するための計算式に含まれる第１のパラメータに代入される第１の値及び第２の値、又は前記第１及び第２の値を示す第１及び第２のインデックスを含む。前記第１の値は、無線フレーム内の第１のサブフレームにおいて前記アップリンク制御情報を前記無線端末から送信する場合に、前記符号化されたシンボル数を決定するために前記無線端末において前記第１のパラメータに代入される。前記第２の値は、前記無線フレーム内の第２のサブフレームにおいて前記アップリンク制御情報を前記無線端末から送信する場合に、前記符号化されたシンボル数を決定するために前記無線端末において前記第１のパラメータに代入される。
【００３６】
一実施形態では、プログラムは、上述のいずれかの方法をコンピュータに行わせるための命令群を含む。
【発明の効果】
【００３７】
上述の実施形態によれば、符号化されたUCI bitsの冗長度をサブフレーム単位で調整することに寄与する方法、無線端末、基地局、及びプログラムを提供することができる。
【図面の簡単な説明】
【００３８】
【図１】LTEの無線フレーム構造及びサブフレーム構造を示す図である。
【図２】１サブフレームの無線リソースグリッドを示す図である。
【図３】TDD LTEに関して定義された６通りのUL-DLコンフィグレーションを示す表である。
【図４】アップリンク制御情報（UCI）をPUSCHのためにスケジュールされたリソースエレメント（resource elements）上に多重化する処理の一例を示す図である。
【図５】無線端末によって行われるトランスポートチャネルUL-SCH及びUCIに対する処理を示す図である。
【図６Ａ】eIMTAが適用される無線通信システムの一例を示す図である。
【図６Ｂ】eIMTAが適用されたときのUL-DLコンフィグレーションの変化の一例を示す図である。
【図７】第１の実施形態に係る無線通信システムの構成例を示す図である。
【図８】第１の実施形態に係る無線端末によって行われる処理の一例を示すフローチャートである。
【図９Ａ】第１の実施形態において、eIMTAが適用される無線通信システムの一例を示す図である。
【図９Ｂ】第１の実施形態において、eIMTAが適用されたときのUL-DLコンフィグレーションの変化の一例を示す図である。
【図１０】第１の実施形態に係る、基地局から無線端末へのオフセットパラメータβPUSCH offsetの通知手順の一例を示すシーケンス図である。
【図１１】第１の実施形態に係る無線端末の構成例を示すブロック図である。
【図１２】第１の実施形態に係る基地局の構成例を示すブロック図である。
【発明を実施するための形態】
【００３９】
以下では、具体的な実施形態について、図面を参照しながら詳細に説明する。各図面において、同一又は対応する要素には同一の符号が付されており、説明の明確化のため、必要に応じて重複説明は省略される。
【００４０】
＜第１の実施形態＞
図７は、本実施形態に係る無線通信システムの構成例を示している。当該無線通信システムは通信サービス、例えば音声通信若しくはパケットデータ通信又はこれら両方、を提供する。図７を参照すると、当該無線通信システムは、無線端末１及び基地局２を含む。無線端末１は、アップリンク信号を生成して基地局２に送信する。基地局２は、ダウンリンク信号を生成して無線端末１に送信する。本実施形態では、当該無線通信システムが3GPP Release 8及びそれ以降（つまり、LTE）のシステムであるとして説明する。すなわち、無線端末１は、LTEをサポートするuser equipment (UE)に相当し、基地局２はeNodeB (eNB)に相当する。
【００４１】
以下では、本実施形態の無線端末１によって行われる、UCI（CQI/PMI、HARQ ACK/NACK、又はRI）のために使用されるリソースエレメント数（符号化されたシンボル数）の計算手順について説明する。無線端末１は、周期的な無線フレーム内の第１のサブフレームと第２のサブフレームとで、UCI（CQI/PMI、HARQ ACK/NACK、又はRI）のための符号化されたシンボル数の計算方法を変更するよう動作する。すなわち、無線端末１は、無線フレーム内の第１のサブフレームにおいてUCI（CQI/PMI、HARQ ACK/NACK、又はRI）を送信する場合に、当該UCIのための符号化されたシンボル数を第１の計算方法に従って決定する。さらに、無線端末１は、同じ無線フレーム内の第２のサブフレームにおいて当該UCIを送信する場合に、当該UCIのための符号化されたシンボル数Q’を第１の計算方法とは異なる第２の計算方法に従って決定する。
【００４２】
異なる計算方法が適用されることで、仮にUCI bitsの数（O）、及びPUSCH送信に対してスケジュールされたサブキャリア数（M PUSCH sc）といった他のパラメータが第１及び第２のサブフレームの間で同一の値であっても、UCIのための符号化されたシンボル数（Q’）を第１及び第２のサブフレームの間で異ならせることができる。既に述べたように、UCIのための符号化されたシンボル数（Q’）は、１サブフレームで送信される符号化されたUCI bits数を定め、さらにチャネルコーディング（例えば、circular repetition又はrepetition coding）によって得られるUCI bitsの冗長性を定める。したがって、本実施形態の無線端末１は、符号化されたUCI bitsの冗長度をサブフレーム単位で調整することに寄与することできる。例えば、無線端末１は、特定のサブフレーム（例えば、第２のサブフレーム）においてのみUCIのための符号化されたシンボル数（Q’）を増やすことができ、したがって符号化されたUCI bitsの冗長性を特定のサブフレームにおいてのみ高めることができる。
【００４３】
ここで、第１及び第２のサブフレームのいくつかの例を述べる。第１の例において、第１のサブフレームは、eIMTAが適用される場合の固定サブフレームであり、第２のサブフレームは、eIMTAが適用される場合の可変サブフレームであってもよい。既に述べたように、固定サブフレームは、送信方向がアップリンク方向及びダウンリンク方向のうちいずれか一方に静的に又は半静的に固定されたサブフレームである。これに対して、可変サブフレームは、送信方向がアップリンク方向とダウンリンク方向の間で動的に切り替えられるサブフレームである。
【００４４】
なお、図６Ａ及び図６Ｂを用いた上述の説明から理解されるように、基地局２の隣接基地局が可変サブフレームを利用し、当該隣接基地局においてULサブフレームがDLサブフレームに切り替えられた場合に、基地局２がPUSCH上で無線端末１から受信するUCIシンボルが隣接基地局のダウンリンク信号から被る干渉が問題となり得る。すなわち、eIMTAが適用された固定サブフレーム及び可変サブフレームを運用するのは、基地局２ではなくその隣接基地局であるケースが想定される。したがって、第１の例において、第１のサブフレームは、無線端末１が通信する基地局２とは異なる隣接基地局における固定サブフレームであり、可変サブフレームは隣接基地局における可変サブフレームと言うこともできる。
【００４５】
第２の例において、第１のサブフレームと第２のサブフレームは、基地局２によって受信されるアップリンク信号（特に、PUSCH上で送信されるUCIシンボル）が被る干渉レベルが互いに異なるサブフレームであってもよい。既に述べたように、何らかの要因（例えば、UL-DLコンフィグレーションの不整合、無線フレームの不十分な同期、又は他システムからの干渉）によって、PUSCH上で送信されるUCIシンボルが被る干渉レベルはサブフレーム毎に大きく異なる可能性がある。他システムからの干渉は、TDD LTEだけでなくFDD LTEであっても問題となり得る。したがって、第２の例は、TDD LTEだけでなくFDD LTEも対象とされる。また、上述の第１の例は、TDD LTEにおいてセル間干渉が特に懸念される特殊なケースであるから、第２の例に含まれる具体例の１つと考えることもできる。
【００４６】
第１及び第２の無線フレームの上述の第１の例では、第１及び第２の計算方法は、可変サブフレーム（又は、隣接基地局における固定サブフレーム）でのUCIのための符号化されたシンボル数Q’が、固定サブフレーム（又は、隣接基地局における固定サブフレーム）でのそれに比べて大きくなるように定義されるとよい。第１及び第２の無線フレームの上述の第２の例では、第１及び第２の計算方法は、PUSCH上で送信されるUCIシンボルが被る干渉レベルが相対的に大きいサブフレームでのUCIのための符号化されたシンボル数Q’が、UCIシンボルが被る干渉レベルが相対的に小さいサブフレームでのそれに比べて大きくなるように定義されるとよい。これにより、無線端末１は、可変サブフレーム又はUCIシンボルが被る干渉レベルが大きいサブフレームにおいて、より多くの符号化されたシンボル（リソースエレメント）をUCIのために使用できる。したがって、無線端末１は、可変サブフレーム又はUCIシンボルが被る干渉レベルが大きいサブフレームにおけるUCI bitsの冗長性を高めることができ、UCI bitsの受信特性を向上することができる。言い換えると、第１及び第２のサブフレームの間でUCIシンボルが被る干渉レベルが異なる場合であっても、第１及び第２のサブフレーム間でのUCI bitsの受信特性のばらつきを抑えることができる。
【００４７】
なお、基地局２は、受信されたアップリリンク信号が受けている干渉レベルをサブフレーム毎に推定し、アップリンク干渉レベルの大きさに基づいて各サブフレームを区別すればよい。そして、基地局２は、干渉レベルの大きさに基づいて、符号化されたシンボル数Q’を得るための計算方法をサブフレーム毎に決定してもよい。アップリンク信号が受けている干渉レベルの推定は、公知の干渉電力推定アルゴリズムを用いて行われてもよい。また、TDD LTEの場合、アップリンク信号が受けている干渉レベルの推定は、無線端末１から受信したダウンリンク信号に関するCQIを用いて行われてもよい。
【００４８】
続いて以下では、第１及び第２の計算方法のいくつかの例を述べる。UCI（CQI/PMI、HARQ ACK/NACK、又はRI）のための符号化されたシンボル数（リソースエレメント数）を求めるための計算式は、式（１）及び式（２）に示したように非特許文献２において規定されている。しがって、既存の基地局及び無線端末に与える仕様変更のインパクトをできるだけ抑えるためには、符号化されたシンボル数（Q’）が第１及び第２のサブフレームの間で異なるように式（１）及び式（２）を修正することが好ましい。
【００４９】
したがって、一例において、第１及び第２の計算方法は、UCIのための符号化されたシンボル数（Q’）を決定するために、共通の計算式（つまり、式（１）又は式（２））を使用するとよい。ただし、第２の計算方法において式（１）又は式（２）の中のβ PUSCH offsetに代入される値は、第１の計算方法においてβ PUSCH offsetに代入される値とは異なる。すなわち、同じ無線フレーム内の第１及び第２のサブフレームの間でβ PUSCH offsetとして異なる値を用いることで、既存の計算式（つまり、式（１）又は式（２））を用いながら、UCIのための符号化されたシンボル数（Q’）を第１及び第２のサブフレームの間で容易に異ならせることができる。説明の便宜のために、第１のサブフレームに関してUCIのための符号化されたシンボル数（Q’1）の計算に使用されるβ PUSCH offsetの値をβ PUSCH offset 1又はβ１と表記する。同様に、第２のサブフレームに関してUCIのための符号化されたシンボル数（Q’2）の計算に使用されるβ PUSCH offsetの値をβ PUSCH offset 2又はβ２と表記する。β PUSCH offset 1（β１）とβ PUSCH offset 2（β２）は、以下の式（６）又は式（７）によって関連付けられてもよい。式（６）及び式（７）のΔβPUSCH offsetは、セル内の全無線端末に共通の値であってもよいし、無線端末個別の（UE-specific又はdedicated）値であってもよい。
【数６】
2018164258.tif 000008
【数７】
2018164258.tif 000009
【００５０】
具体例として、β PUSCH offset 2（β２）がβ PUSCH offset 1（β１）の２倍に定められた場合を考える。式（６）の定義に従うと、ΔβPUSCH offset＝２である。この場合、式（１）及び式（２）から明らかであるように、原則として（つまり、4・M PUSCH sc を超えない限り）、第２のサブフレームでのUCIのための符号化されたシンボル数（Q’2）は、第１のサブフレームでのUCIのための符号化されたシンボル数（Q’1）の２倍となる。
【００５１】
図８は、本実施形態の無線端末１の処理の一例を示すフローチャートである。図８は、eIMTAが適用されるケースを想定している。ステップＳ１１では、無線端末１は、現在のサブフレームが可変サブフレーム（又は隣接基地局における可変サブフレーム）であるか否かを判定する。現在のサブフレームが固定サブフレームであるとき（ステップＳ１１でＮＯ）、ステップＳ１２において、無線端末１は、式（１）又は式（２）と、固定サブフレーム用のオフセットパラメータβ PUSCH offset 1（β１）を用いてUCIのための符号化されたシンボル数（Q’1）を計算する。一方、現在のサブフレームが可変サブフレームであるとき（ステップＳ１１でＹＥＳ）、ステップＳ１３において、無線端末１は、式（１）又は式（２）と、可変サブフレーム用のオフセットパラメータβ PUSCH offset 2（β２）を用いてUCIのための符号化されたシンボル数（Q’2）を計算する。
【００５２】
図９Ａ及び図９Ｂは、本実施形態の無線通信システムにeIMTAが適用される例を示している。図９Ａに示されるように、基地局２は、カバレッジエリア２１を有し、カバレッジエリア２１内において無線端末１と通信する。基地局３は、基地局２のカバレッジエリア２１内に配置され、カバレッジエリア２１に比べて狭いカバレッジエリア３１を有するすスモールセル基地局である。図９Ａでは、基地局３にeIMTAが適用され、基地局３はUL-DLコンフィグレーションを動的に変更する。
【００５３】
図９Ｂは、ある時点における基地局２及び３それぞれのUL-DLコンフィグレーションと、UCIのための符号化されたシンボル数（Q’）を求めるために無線端末１が使用するベータオフセットβ PUSCH offsetの値を示している。図９Ｂの例では、基地局２はUL-DLコンフィグレーション#0を使用しており、基地局３はUL-DLコンフィグレーション#2を使用している。したがって、サブフレーム#3、#4、#8、及び#9では、無線端末１から基地局２へのアップリンク送信と基地局３によるダウンリンク送信が同時に行われる。基地局３のサブフレーム#0、#1、#2、#5、#6、及び#7は、固定サブフレームである。基地局３のサブフレーム#3、#4、#8、及び#9は、可変サブフレームである。無線端末１は、サブフレーム#2及び#7（つまり、基地局３における固定サブフレームに相当）においてPUSCH上でUCIを送信するために、固定サブフレーム用のベータオフセットβ PUSCH offset 1（β１）を用いてUCIのための符号化されたシンボル数（Q’1）を計算する。これに対しして、無線端末１は、サブフレーム#3、#4、#8、及び#9（つまり、基地局３における可変サブフレームに相当）においてPUSCH上でUCIを送信するために、可変サブフレーム用のベータオフセットβ PUSCH offset 2（β２）を用いてUCIのための符号化されたシンボル数（Q’2）を計算する。
【００５４】
続いて以下では、基地局２から無線端末１への２つのオフセットパラメータβ PUSCH offset 1（β１）及びβ PUSCH offset 2（β２）の通知手順について説明する。図１０は、β１及びβ２の通知手順の一例を示すシーケンス図である。図１０の例では、基地局２は、RRC Setup手順において、β１及びβ２の値、又はβ１及びβ２の値を示す第１及び第２のインデックスを無線端末１に送信する。ステップＳ２１では、無線端末１は、RRC connection requestメッセージを基地局２に送信する。ステップＳ２２では、基地局２は、RRC connection requestメッセージに応答して、RRC setupメッセージを送信する。ステップＳ２２のRRC setupメッセージは、β１及びβ２の値を示す第１及び第２のインデックスを示す。ステップＳ２３では、無線端末１は、RRC setupメッセージに従ってRRCコネクションを設定し、RRC setup completeメッセージを基地局２に送信する。
【００５５】
例えば、第１及び第２のインデックスは、RRC Setupメッセージに含まれるradioResourceConfigDedicated内の情報要素pusch-ConfigDedicatedに含まれてもよい。既存の情報要素pusch-ConfigDedicatedは、betaOffset-ACK-Index、betaOffset-RI-Index、及びbetaOffset-CQI-Indexを含む。betaOffset-ACK-Index、betaOffset-RI-Index、及びbetaOffset-CQI-Indexは、βHARQ-ACK offset、βRI offset、及びβCQI offsetをそれぞれ表す。これに対して、本実施形態に係る拡張された情報要素pusch-ConfigDedicatedは、betaOffset-ACK-Indexに代えて又はbetaOffset-ACK-Indexと共に、betaOffset-ACK-Index1及びbetaOffset-ACK-Index2を含んでもよい。betaOffset-ACK-Index1は、β１に関連付けられる第１のインデックスを示し、betaOffset-ACK-Index2は、β２に関連付けられる第２のインデックスを示す。これと同様に、拡張された情報要素pusch-ConfigDedicatedは、betaOffset-RI-Indexに代えて又はbetaOffset-RI-Indexと共に、betaOffset-RI-Index1及びbetaOffset-RI-Index2を含んでもよい。さらに、拡張された情報要素pusch-ConfigDedicatedは、betaOffset-CQI-Indexに代えて又はbetaOffset-CQI-Indexと共に、betaOffset-CQI-Index1及びbetaOffset-CQI-Index2を含んでもよい。
【００５６】
なお、図１０の例は、β１及びβ２の通知手順の一例に過ぎない。例えば、基地局２は、RRC Connection Reconfigurationメッセージを用いて、β１及びβ２の値、又は第１及び第２のインデックスを無線端末１に送信してもよい。
【００５７】
また、基地局２は、β PUSCH offset 1（β１）の値又はこれを示す第１のインデックスと共に、式（６）又は式（７）で定義されるΔβPUSCH offsetを無線端末１に通知してもよい。ΔβPUSCH offsetは、セル内の全無線端末に共通の値であってもよいし、無線端末個別の（UE-specific又はdedicated）値であってもよい。ΔβPUSCH offsetがセル内の全無線端末に共通の値であるとき、ΔβPUSCH offsetは、システム情報（例えば、system information block 2（SIB2）内のradioResourceConfigCommon内の情報要素pusch-Config ）に含めて基地局２から無線端末１に送信されてもよい。ΔβPUSCH offsetが無線端末個別の値であるとき、ΔβPUSCH offsetは、RRC Setupメッセージ又はRRC connection reconfigurationメッセージ内の情報要素（例えば、radioResourceConfigDedicated内の情報要素pusch-ConfigDedicated）を用いて、基地局２から無線端末１に送信されてもよい。
【００５８】
上述したように、第１及び第２の計算方法がUCIのための符号化されたシンボル数（Q’）を決定するために共通の計算式（つまり、式（１）又は式（２））を使用することは、既存の基地局及び無線端末に与える仕様変更のインパクトをできるだけ抑えることができる利点がある。しかしながら、第１及び第２の計算方法の他の例では、第２の計算方法は、符号化されたシンボル数（Q’）を決定するために、第１の計算方法が用いる計算式（例えば、式（１）又は式（２））とは異なる計算式を使用してもよい。例えば、第１の計算方法は式（１）をそのまま使用し、第２の計算方法は以下の式（８）を用いてもよい。式（８）は、式（１）の変形であり、右辺のシーリング関数にウェイトパラメータWが乗算されている。ウェイトパラメータWは、上述の式（６）におけるΔβPUSCH offsetと実質的に同様の役割を果たす。
【数８】
2018164258.tif 000010
【００５９】
続いて以下では、無線端末１及び基地局２の構成例について説明する。図１１は、無線端末１の構成例を示すブロック図である。図１１の例では、無線端末１は、プロセッサ１０１及びトランシーバ１０２を含む。トランシーバ１０２は、radio frequency（RF）ユニットと呼ぶこともできる。プロセッサ１０１は、アップリンク信号（つまり、ベースバンドSC-DFMA信号）を生成する。トランシーバ１０２は、プロセッサ１０１によって生成されたアップリンク信号の周波数アップコンバージョンを行ってアップリンクRF信号を生成し、アップリンクRF信号を増幅して送信する。
【００６０】
プロセッサ１０１は、アップリンク信号（ベースバンドSC-DFMA信号）を生成する過程おいて、周期的な無線フレーム内の第１のサブフレームと第２のサブフレームとで、UCI（CQI/PMI、HARQ ACK/NACK、又はRI）のための符号化されたシンボル数の計算方法を変更するよう構成されている。すなわち、プロセッサ１０１は、無線フレーム内の第１のサブフレームにおいてUCI（CQI/PMI、HARQ ACK/NACK、又はRI）を送信する場合に、当該UCIのための符号化されたシンボル数を第１の計算方法に従って決定する。さらに、プロセッサ１０１は、同じ無線フレーム内の第２のサブフレームにおいて当該UCIを送信する場合に、当該UCIのための符号化されたシンボル数Q’を第１の計算方法とは異なる第２の計算方法に従って決定する。
【００６１】
図１２は、基地局２の構成例を示すブロック図である。図１２の例では、基地局２は、プロセッサ２０１及びトランシーバ２０２を含む。トランシーバ２０２は、radio frequency（RF）ユニットと呼ぶこともできる。プロセッサ２０１は、ダウンリンク信号（つまり、ベースバンドOFDM信号）を生成する。トランシーバ２０２は、プロセッサ２０１によって生成されたダウンリンク信号の周波数アップコンバージョンを行ってダウンリンクRF信号を生成し、ダウンリンクRF信号を増幅して送信する。
【００６２】
プロセッサ２０１は、UCI（CQI/PMI、HARQ ACK/NACK、又はRI）のための符号化されたシンボル数を決定するための計算式（例えば、式（１）又は式（２））に含まれる第１のパラメータ（例えば、オフセットパラメータβPUSCH offset）に代入される第１の値及び第２の値（例えば、β１及びβ２）、又はこれら第１及び第２の値を示す第１及び第２のインデックスを無線端末１に送信する。
【００６３】
＜その他の実施形態＞
第１の実施形態の基地局２は、無線端末１のinbound又はoutboundハンドオーバのために基地局間インタフェース（X2インタフェース）又はコアネットワークとのインタフェース（S1-MMEインタフェース）を介して送信するメッセージ（Handover Requestメッセージ、又はHandover Requiredメッセージ）に、オフセットパラメータβ PUSCH offset 1（β１）及びβ PUSCH offset 2（β２）、又はこれらを示すインデックスを含めてもよい。言い換えると、基地局２は、ターゲット基地局において設定されるべきradio access bearer（RAB）の情報として、オフセットパラメータβ PUSCH offset 1（β１）及びβ PUSCH offset 2（β２）、又はこれらを示すインデックスを送信してもよい。
【００６４】
第１の実施形態は、主にLTEシステムに関する具体例を用いて説明を行った。しかしながら、第１の実施形態は、他の無線通信システム、特にLTEと同様のアップリンク通信方式（OFDM又はDFTS-OFDM）を採用する無線通信システムに適用されてもよい。
【００６５】
第１の実施形態は、主にアップリンク制御情報（UCI）の送信に関して説明を行った。しかしながら、第１の実施形態で説明された符号化されたシンボル数（リソースエレメント数）を決定する技術は、アップリンク・ユーザーデータ（UL-SCHデータ）の送信に適用されてもよい。
【００６６】
第１の実施形態で説明された無線端末１及び基地局２の動作は、少なくとも１つのプロセッサ（e.g. マイクロプロセッサ、Micro Processing Unit（MPU）、Central Processing Unit（CPU））を含むコンピュータにプログラムを実行させることによって実現されてもよい。具体的には、図８〜図１０等を用いて説明された無線端末１又は基地局２に関するアルゴリズムをコンピュータに行わせるための命令群を含む１又は複数のプログラムをコンピュータに供給すればよい。
【００６７】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６８】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００６９】
この出願は、２０１４年１月１５日に出願された日本出願特願２０１４−００４９４５を基礎とする優先権を主張し、その開示の全てをここに取り込む。
【符号の説明】
【００７０】
１  無線端末
２  基地局
３  基地局
２１、３１  カバレッジエリア
１０１  プロセッサ
１０２  トランシーバ
２０１  プロセッサ
２０２  トランシーバ
【図１】
2018164258.tif 000011
【図２】
2018164258.tif 000012
【図３】
2018164258.tif 000013
【図４】
2018164258.tif 000014
【図５】
2018164258.tif 000015
【図６Ａ】
2018164258.tif 000016
【図６Ｂ】
2018164258.tif 000017
【図７】
2018164258.tif 000018
【図８】
2018164258.tif 000019
【図９Ａ】
2018164258.tif 000020
【図９Ｂ】
2018164258.tif 000021
【図１０】
2018164258.tif 000022
【図１１】
2018164258.tif 000023
【図１２】
2018164258.tif 000024